(57)【要約】      （修正有）【課題】特に複数個のカードスロットを備えた撮影装置であり、装置本体を小型化することができる撮影装置を提供する。【解決手段】メモリカード５０Ｌ、５０Ｒを装着するためのソケット５２Ｌ、５２Ｒがカメラボディ１２に２つ備え、そのソケット５２Ｌ、５２Ｒが１つの基板５４の同一面上に配置される。これにより、カメラボディ１２の厚みを薄くすることができる。またメモリカードの空き容量を検出し、画像データの追記の可否を判定手段を設け、追記付加と判断された場合には、他方のメモリカードを使うよう設定を切り換える手段を有している。【選択図】図３
2005229428.tif 000002
【特許請求の範囲】
【請求項１】
装置本体に一組のソケットを備え、該ソケットに接続されたメモリカードに撮影した画像データを記録する撮影装置において、
前記一組のソケットが同一基板の同一面上に配置されることを特徴とする撮影装置。
【請求項２】
使用するソケットを設定する設定手段と、
前記設定手段で設定されたソケットに接続されたメモリカードの空き容量を検出する検出手段と、
前記検出手段の検出結果に基づき前記設定手段で設定されたソケットに接続されたメモリカードへの画像データの追記の可否を判定する判定手段と、
前記判定手段で追記不可と判定された場合に前記設定手段の設定を他方側のソケットに切り替える切替手段と、
を備えたことを特徴とする請求項１に記載の撮影装置。
【請求項３】
前記装置本体に表示手段を備え、該表示手段に前記設定手段の設定情況を表示することを特徴とする請求項２に記載の撮影装置。
【請求項４】
前記メモリカードは、前記装置本体の外周部に形成されたスロットから挿入されて前記ソケットに接続され、
前記メモリカードを前記スロットから排出するカード排出手段と、
前記判定手段の判定結果に基づき前記各カード排出手段の駆動を制御してメモリカードの排出を制御する制御手段であって、前記判定手段で追記不可と判定された場合に前記設定手段で設定されたソケットに接続されたメモリカードを排出させる制御手段と、
を備えたことを特徴とする請求項２又は３に記載の撮影装置。
【請求項５】
前記カード排出手段は、
回転駆動手段と、
前記回転駆動手段に駆動されて回転し、その回転過程で前記スロットに挿入されたメモリカードの先端面と接触して、前記メモリカードを前記スロットから押し出す押圧板と、
からなることを特徴とする請求項４に記載の撮影装置。
【請求項６】
前記押圧板は導体で形成され、その回転過程で周縁部を導体でシールドされた前記メモリカードの先端面と接触するとともに、前記装置本体に設けられた接地部材に接触して、前記メモリカードの静電気を逃すことを特徴とする請求項４又は５に記載の撮影装置。
【発明の詳細な説明】
【技術分野】
【０００１】
本発明は撮影装置に係り、特に装置本体に２つのカードスロットを備えた撮影装置に関する。
【背景技術】
【０００２】
一般にデジタルカメラで撮影された画像データは、カメラ本体に装着された交換可能なメモリカードに記録される。このメモリカードに記録できる画像データの数には限りがあり、１枚のメモリカードで沢山の画像データを記録するためには、大容量のメモリカードを使用しなければならなかった。しかし、近年の撮像素子の高画素化により、１枚の画像データのデータサイズも大きなものとなっており、大容量のメモリカードを使用しても十分な撮影枚数が得られないという問題があった。
【０００３】
そこで、特許文献１のデジタルカメラでは、複数枚のメモリカードをカメラ本体に自動で装填、排出するようにしている。また、特許文献２、３のデジタルカメラでは、カメラ本体に複数のカードスロットを設け、複数枚のメモリカードを装着できるようにしている。
【特許文献１】特開平５−３７８９０号公報
【特許文献２】特開２００１−７８１３５号公報
【特許文献３】特開２００１−１６０９１５号公報
【発明の開示】
【発明が解決しようとする課題】
【０００４】
しかしながら、特許文献１のデジタルカメラは、メモリカードの自動装填機構が必要になるため、装置の構成が複雑かつ大型化するという欠点がある。
【０００５】
また、特許文献２、３のデジタルカメラのように単にカードスロットを複数設けた構成では、装置本体が大型化してしまうという欠点がある。
【０００６】
本発明は、このような事情に鑑みてなされたもので、装置本体を小型化することができる撮影装置を提供することを目的とする。
【課題を解決するための手段】
【０００７】
請求項１に係る発明は、前記目的を達成するために、装置本体に一組のソケットを備え、該ソケットに接続されたメモリカードに撮影した画像データを記録する撮影装置において、前記一組のソケットが同一基板の同一面上に配置されることを特徴とする撮影装置を提供する。
【０００８】
本発明によれば、２つのソケットが同一基板の同一面上に配置される。これにより、装置本体の厚みを薄くすることができる。
【０００９】
また、請求項２に係る発明は、前記目的を達成するために、使用するソケットを設定する設定手段と、前記設定手段で設定されたソケットに接続されたメモリカードの空き容量を検出する検出手段と、前記検出手段の検出結果に基づき前記設定手段で設定されたソケットに接続されたメモリカードへの画像データの追記の可否を判定する判定手段と、前記判定手段で追記不可と判定された場合に前記設定手段の設定を他方側のソケットに切り替える切替手段と、を備えたことを特徴とする請求項１に記載の撮影装置を提供する。
【００１０】
本発明によれば、一方のソケットに接続されたメモリカードの空き容量がなくなると、自動的に他方側のソケットに接続されたメモリカードに画像データが記録される。これにより、使用するソケットを手動で切り替える手間が省けるとともに、一方のソケットに接続されたメモリカードの容量が無くなっても、撮影を中断することなく連続して撮影することができる。
【００１１】
また、請求項３に係る発明は、前記目的を達成するために、前記装置本体に表示手段を備え、該表示手段に前記設定手段の設定情況を表示することを特徴とする請求項２に記載の撮影装置を提供する。
【００１２】
本発明によれば、２つのソケットに接続されたメモリカードの使用状況を表示手段で確認することができる。
【００１３】
また、請求項４に係る発明は、前記目的を達成するために、前記メモリカードは、前記装置本体の外周部に形成されたスロットから挿入されて前記ソケットに接続され、前記メモリカードを前記スロットから排出するカード排出手段と、前記判定手段の判定結果に基づき前記各カード排出手段の駆動を制御してメモリカードの排出を制御する制御手段であって、前記判定手段で追記不可と判定された場合に前記設定手段で設定されたソケットに接続されたメモリカードを排出させる制御手段と、を備えたことを特徴とする請求項２又は３に記載の撮影装置を提供する。
【００１４】
本発明によれば、ソケットに接続されたメモリカードの空き容量がなくなると、カード排出手段により自動的にスロットからメモリカードが排出される。これにより、メモリカードの空き容量が無くなったことをユーザに認識させることができる。
【００１５】
また、請求項５に係る発明は、前記目的を達成するために、前記カード排出手段は、回転駆動手段と、前記回転駆動手段に駆動されて回転し、その回転過程で前記スロットに挿入されたメモリカードの先端面と接触して、前記メモリカードを前記スロットから押し出す押圧板と、からなることを特徴とする請求項４に記載の撮影装置を提供する。
【００１６】
本発明によれば、カード排出手段は、回転駆動手段と押圧板とで構成され、押圧板を回転駆動手段で回転させると、押圧板がスロットから挿入されたメモリカードの先端面と接触して、メモリカードをスロットから押し出す。
【００１７】
また、請求項６に係る発明は、前記目的を達成するために、前記押圧板は導体で形成され、その回転過程で周縁部を導体でシールドされた前記メモリカードの先端面と接触するとともに、前記装置本体に設けられた接地部材に接触して、前記メモリカードの静電気を逃すことを特徴とする請求項４又は５に記載の撮影装置を提供する。
【００１８】
本発明によれば、押圧板を回転させると、メモリカードに接触するとともに接地部材に接触し、メモリカードの静電気を逃がす。これにより、メモリカードの静電気による破壊を防止することができる。
【発明の効果】
【００１９】
本発明に係る撮影装置によれば、装置本体を小型化することができるとともに、使い勝手を向上させることができる。
【発明を実施するための最良の形態】
【００２０】
以下、添付図面に従って本発明に係る撮影装置を実施するための最良の形態について説明する。
【００２１】
図１、図２は、それぞれ本発明が適用されたデジタルカメラの正面外観図と背面外観図である。
【００２２】
同図に示すように、このデジタルカメラ１０のカメラボディ１２は、横長の直方体形状に形成されている。そして、そのカメラボディ１２の正面には、図１に示すように、レンズ１４、ストロボ１６、ファインダー窓１８、ＡＦ補光ランプ２０、セルフタイマーランプ２２、ストロボ調光センサ２４等が設けられており、上面にはシャッターボタン２６、電源スイッチ２８、モードダイヤル３０等が設けられている。
【００２３】
また、カメラボディ１２の背面には、図２に示すように、モニタ３２、ファインダー３４、ズームボタン３６、メニュー／ＯＫボタン３８、ＢＡＣＫボタン４０、十字ボタン４２等が設けられており、下面には、バッテリーカバー４４、三脚用ねじ穴４６等が設けられている。
【００２４】
また、カメラボディ１２の両側面には、図１、図２に示すように、メモリカードスロット４８Ｌ、４８Ｒが設けられている。
【００２５】
レンズ１４は、沈胴式のズームレンズで構成されており、カメラボディ１２のほぼ中央位置に配置されている。
【００２６】
シャッターボタン２６は、「半押し」と「全押し」とからなる二段ストローク式の押圧ボタンで構成されている。デジタルカメラ１０は、このシャッターボタン２６の半押しでＡＥ／ＡＦが作動し、全押しで撮影が実行される。
【００２７】
電源スイッチ２８は、カメラのモードを設定するモードスイッチを兼ねており、「ＯＦＦ位置」と「再生位置」と「撮影位置」との間をスライド自在に設けられている。デジタルカメラ１０は、この電源スイッチ２８を再生位置に位置させることにより、「再生モード」に設定され、「撮影位置」に位置させることにより、「撮影モード」に設定される。そして、「ＯＦＦ位置」に位置させることにより、電源がＯＦＦにされる。
【００２８】
モードダイヤル３０は、撮影モードの設定手段として機能し、その設定位置により、撮影モードが「オート撮影モード」、「プログラム撮影モード」、「シャッター速度優先撮影モード」、「絞り優先撮影モード」、「マニュアル撮影モード」、「人物撮影モード」、「風景撮影モード」、「スポーツ撮影モード」、「夜景撮影モード」又は「動画撮影モード」に設定される。
【００２９】
モニタ３２は、カラー表示が可能な液晶ディスプレイで構成されており、カメラボディ１２の背面ほぼ中央に配置されている。デジタルカメラ１０は、このモニタ３２に記録済み画像を再生表示する。また、このモニタ３２は、撮影モード時にスルー画像を表示して電子ファインダとして利用されるとともに、各種設定時のユーザインターフェースとしても利用される。
【００３０】
ズームボタン３６は、ズームの指示手段として機能し、望遠側へのズームを指示するズームテレボタン３６Ｔと、広角側へのズームを支持するズームワイドボタン３６Ｗとで構成されている。
【００３１】
メニュー／ＯＫボタン３８は、モニタ３２にメニュー画面の表示を指示する指示手段として機能するとともに、そのメニュー画面等で選択した内容の確定、実行等を指示する指示手段として機能する。また、ＢＡＣＫボタン４０は、入力操作のキャンセル等を指示する指示手段として機能する。
【００３２】
十字ボタン４２は、上下左右４方向の指示を入力する入力手段として機能し、メニュー画面でメニュー項目の選択などに使用される。また、撮影時には、右キーがストロボボタンとして機能するとともに、左キーがマクロボタンとして機能する。
【００３３】
開閉自在なバッテリーカバー４４の内側には、図示しないバッテリー収納室が形成されており、このバッテリー収納室にバッテリーが収納される。
【００３４】
一組のメモリカードスロット４８Ｌ、４８Ｒは、カメラボディ１２の両側面に左右対称に配置されている。この一組のメモリカードスロット４８Ｌ、４８Ｒには、同種のメモリカード５０Ｌ、５０Ｒ（たとえば、ｘＤピクチャーカード）が挿入される。メモリカード５０Ｌ、５０Ｒは、片面に図示しない接点を備えており、カメラボディ１２の側面に対して垂直になるようにしてメモリカードスロット４８Ｌ、４８Ｒに挿入される。メモリカードスロット４８Ｌ、４８Ｒに挿入されたメモリカード５０Ｌ、５０Ｒは、カメラボディ１２の内側に設けられたソケット５２Ｌ、５２Ｒに接続される。
【００３５】
ソケット５２Ｌ、５２Ｒは、図３に示すように、カメラボディ１２内に配設された同一基板５４の同一面上に設けられている。このソケット５２Ｌ、５２Ｒが設けられた基板５４は、図示しないビス等でカメラボディ１２に固定されている。このように、ソケット５２Ｌ、５２Ｒを同一基板の同一面上に配置することにより、ユニットを薄型化することができ、ひいてはカメラボディ１２を小型（薄型）化することができる。
【００３６】
図４は、ソケット５２Ｒの概略構成を示す断面図である。同図に示すように、ソケット５２Ｒは、メモリカードスロット４８Ｒから挿入されたメモリカード５０Ｒが嵌合する嵌合部５６Ｒを備えている。嵌合部５６Ｒの内側には端子５８Ｒが設けられており、この端子５８Ｒにメモリカード５０Ｒに設けられた接点５１Ｒが接続される。
【００３７】
ソケット５２Ｒの先端部には、ソケット５２Ｒに接続されたメモリカード５０Ｒをメモリカードスロット４８Ｒから排出する排出装置６０Ｒが設けられている。この排出装置６０Ｒは、図３及び図４に示すように、主として押圧板６２Ｒとモータ６４Ｒとで構成されている。
【００３８】
押圧板６２Ｒは、円盤状に形成された押圧板本体６６Ｒと、その押圧板本体６６Ｒの中心部に固着された回転軸６８Ｒと、押圧板本体６６Ｒの外周部に突出して形成された三角形状の押圧部７０Ｒとで構成されている。この押圧板６２Ｒは、ケース７２Ｒ内に配設されており、その回転軸６８Ｒをケース７２Ｒに形成された図示しない軸受部に軸支されて、ケース７２Ｒ内を回転自在に設けられている。
【００３９】
モータ６４Ｒは、ケース７２Ｒの外側に設けられており、その出力軸が回転軸６８Ｒに連結されている。押圧板６２Ｒは、このモータ６４Ｒに駆動されて回転する。
【００４０】
押圧板６２Ｒは１回の駆動で１回転し、その回転過程でメモリカード５０Ｒをメモリカードスロット４８Ｒから押し出す。すなわち、図５に示すように、押圧板６２Ｒが回転すると、その外周部に設けられた押圧部７０Ｒがソケット５２Ｒの嵌合部５６Ｒ内に進入し、嵌合部５６Ｒに嵌合されたメモリカード５０Ｒの先端面に接触し、ソケット５２Ｒから押し出す。これにより、メモリカード５０Ｒがメモリカードスロット４８Ｒから排出される。
【００４１】
他方側のソケット５２Ｌも同様に構成されており、ソケット５２Ｌに接続されたメモリカード５０Ｌを排出する排出装置６０Ｌを備えている。
【００４２】
なお、排出装置６０Ｌ、６０Ｒの駆動は後述するようにＣＰＵ１００に制御されており、ＣＰＵ１００は操作部１０２からの操作信号に基づいて排出装置６０Ｌ、６０Ｒのモータ６４Ｌ、６４Ｒの駆動を制御して、メモリカード５０Ｌ、５０Ｒの排出を制御する。
【００４３】
図６は、デジタルカメラ１０の内部の概略構成を示すブロック図である。同図に示すように、デジタルカメラ１０は、ＣＰＵ１００、操作部１０２、記憶部１０４、撮像素子１０６、撮像処理部１０８、表示処理部１１０、記録処理部１１２等で構成されている。
【００４４】
ＣＰＵ１００は、本カメラシステムを統括制御する制御部であり、操作部（シャッターボタン２６、電源スイッチ２８、モードダイヤル３０、ズームボタン３６、メニュー／ＯＫボタン３８、ＢＡＣＫボタン４０、十字ボタン４２等）１０２からの操作信号に基づいてカメラ全体の動作を統括的に制御する。
【００４５】
記憶部１０４は、ＲＯＭ、ＲＡＭ、ＥＥＰＲＯＭを含み、ＲＯＭにはＣＰＵ１００が処理するプログラム及び制御に必要な各種データ等が格納されている。また、ＲＡＭは、プログラムの展開領域として利用されるとともに、ＣＰＵ１００が各種演算処理等を行う際の作業用エリアとして利用され、ＥＥＰＲＯＭには各種設定情報などが記録される。
【００４６】
撮像素子（ＣＣＤ）１０６は、レンズ１４を介して結像された被写体の光学像を電気信号に変換する。
【００４７】
撮像処理部１０８は、このＣＣＤ１０６から出力された電気信号を取り込み、所要の信号処理を施して画像信号に変換する。
【００４８】
撮影中にモニタ３２にスルー画像を表示させる場合は、この撮像処理部１０８で信号処理された画像信号が表示処理部１１０に送られる。
【００４９】
表示処理部１１０は、入力した画像信号を表示用の信号形式（たとえば、ＮＴＳＣ）に変換してモニタ３２に出力する。これにより、ＣＣＤ１０６で捉えたリアルタイム画像（スルー画像）がモニタ３２に表示される。
【００５０】
電源スイッチ２８によってカメラのモードが撮影モードに設定された状態で、シャッターボタン２６が押されると、操作部１０２からＣＰＵ１００にレリーズ信号が出力される。ＣＰＵ１００は、このレリーズ信号を受けて、画像の記録処理を実行する。すなわち、ＣＣＤ１０６から１コマ分の電気信号を取り込み、撮像処理部１０８で所要の信号処理を施して１コマ分の画像信号を取得する。そして、記録処理部１１２で所定の圧縮処理を施し、ソケット５２Ｌ、５２Ｒに接続されたいずれか一方のメモリカード５０Ｌ、５０Ｒに記録する。
【００５１】
ここで、いずれのメモリカード５０Ｌ、５０Ｒに画像データを記録するかは設定による。この設定は、たとえばメニュー画面によって次のように行なわれる。
【００５２】
撮影モードの下でメニュー／ＯＫボタン３８を押すと、図７（ａ）に示すように、モニタ３２に撮影メニューの画面が表示される。ユーザは、このモニタ３２に表示された撮影メニューのメニュー項目の中から「ＳＥＴ  ＵＰ」を選択する。選択はカーソルを十字ボタン４２で移動させることにより行なわれ、メニュー／ＯＫボタン３８を押すことにより決定される。
【００５３】
撮影メニューの中から「ＳＥＴ  ＵＰ」が選択されると、図７（ｂ）に示すように、「ＳＥＴ  ＵＰ」のメニューがモニタ３２に表示される。ユーザは、このモニタ３２に表示された「ＳＥＴ  ＵＰ」のメニュー項目の中から「ソケット設定」を選択する。選択は上記同様にカーソルを十字ボタン４２で移動させることにより行なわれ、メニュー／ＯＫボタン３８を押すことにより決定される。
【００５４】
「ＳＥＴ  ＵＰ」のメニューの中から「ソケット設定」を選択すると、図７（ｃ）に示すように、使用するソケットの選択画面が表示される。ユーザは、この表示に基づき左右いずれか使用するソケットを選択する。
【００５５】
ここで、「右ソケット」を選択すると、カメラボディ１２の右側に設けられたソケット５２Ｒが使用するソケットとして設定され、「左ソケット」を選択すると、カメラボディ１２の左側に設けられたソケット５２Ｌが使用するソケットとして設定される。選択は上記同様にカーソルを十字ボタン４２で移動させることにより行なわれ、メニュー／ＯＫボタン３８を押すことにより決定される。
【００５６】
このようにして設定されたソケット５２Ｌ、５２Ｒの設定情報は、記憶部１０４のＥＥＰＲＯＭに記憶され、この設定情報に基づいて撮影された画像データが左右いずれか一方のメモリカードに記録される。
【００５７】
また、設定されたソケット５２Ｌ、５２Ｒの情報はモニタ３２に表示され、たとえば左ソケットが設定された場合には、図７（ｄ）に示すように、モニタ３２の左隅にメモリカードの形をしたアイコンが画像に重ねて表示される（右ソケットが設定された場合には、モニタ３２の右隅にメモリカードの形をしたアイコンが画像に重ねて表示される）。ユーザは、このモニタ３２に表示されたアイコンを見ることにより、現在のソケットの設定情況を把握することができる。
【００５８】
また、設定されたソケットに接続されているメモリカードの容量が無くなった場合には、図７（ｅ）に示すように、空き容量が無くなったことを示す表示（「メモリフル」）がアイコンに併記される。ユーザは、この表示を見ることにより、使用するソケットの切り替え又はメモリカードの交換の必要があることを把握することができる。
【００５９】
なお、上記のアイコン等はユーザが表示／非表示を選択できるようにすることが好ましく、たとえばメニュー画面でその設定ができるようにする。
【００６０】
また、上記の例では、撮影モードの下でソケットの設定をする場合について説明したが、再生モードの下でも同様にメニュー画面からソケットの設定ができるものとする。
【００６１】
メモリカード５０Ｌ、５０Ｒに記録された画像は、カメラのモードを再生モードに設定することにより、再生が可能になる。すなわち、電源スイッチ２８によってカメラのモードが再生モードに設定されると、ＣＰＵ１００は、これを検知してメモリカード５０Ｌ、５０Ｒに最後に記録された画像ファイルの画像データを読み出す。読み出された画像データは、記録処理部１１２にて所要の伸張処理が施されたのち、表示処理部１１０を介してモニタ３２に出力される。これにより、メモリカードに記録された画像の閲覧が可能になる。
【００６２】
画像のコマ送りは、十字ボタン４２で行なわれ、十字ボタン４２の右キーが押されると、次の画像がモニタ３２に再生表示される。そして、十字ボタン４２の左キーが押されると、前の画像がモニタ３２に再生表示される。
【００６３】
また、メモリカード５０Ｌ、５０Ｒの取り出しはメニュー画面で行なわれ、たとえば次のように行なわれる。
【００６４】
撮影モードの下でメニュー／ＯＫボタン３８を押すと、図８（ａ）に示すように、モニタ３２に撮影メニューの画面が表示される。ユーザは、このモニタ３２に表示された撮影メニューのメニュー項目の中から「ＳＥＴ  ＵＰ」を選択する。
【００６５】
撮影メニューの中から「ＳＥＴ  ＵＰ」が選択されると、図８（ｂ）に示すように、「ＳＥＴ  ＵＰ」のメニューがモニタ３２に表示される。ユーザは、このモニタ３２に表示された「ＳＥＴ  ＵＰ」のメニュー項目の中から「カード取り出し」を選択する。
【００６６】
「ＳＥＴ  ＵＰ」のメニューの中から「カード取り出し」を選択すると、図８（ｃ）に示すように、メモリカードを取り出すソケットの選択画面が表示される。ユーザは、この表示に基づき左右いずれかのソケットを選択する。
【００６７】
ここで、「右ソケット」を選択すると、カメラボディ１２の右側に設けられたソケット５２Ｒの排出装置６０Ｒが駆動され、右側のメモリカードスロット４８Ｒからメモリカード５０Ｒが排出される。すなわち、排出装置６０Ｒのモータ６４Ｒが駆動されて押圧板６２Ｒが１回転し、その押圧板６２Ｒに設けられた押圧部７０Ｒに押されて、メモリカード５０Ｒがメモリカードスロット４８Ｒから排出される。
【００６８】
また、「左ソケット」を選択すると、カメラボディ１２の左側に設けられたソケット５２Ｌの排出装置６０Ｌが駆動され、左側のメモリカードスロット４８Ｌからメモリカード５０Ｌが排出される。
【００６９】
このように、メモリカード５０Ｌ、５０Ｒの取り出しは、メニュー画面でメモリカード５０Ｌ、５０Ｒの取り出しを選択することにより行なわれる。
【００７０】
なお、専用のボタンを設け、このボタンからの指示でメモリカード５０Ｌ、５０Ｒの取り出しを行なうようにしてもよい。この場合、各ソケット５２Ｌ、５２Ｒに対して取り出しボタンを設置する。
【００７１】
また、メモリカード５０Ｌ、５０Ｒの取り出しが行なわれた場合は、自動的に使用するソケット５２Ｌ、５２Ｒの設定を切り替えることが好ましい。すなわち、使用するソケットとして、右側のソケット５２Ｒが設定されている場合において、右側のソケット５２Ｒからメモリカード５０Ｒを取り出した場合は、使用するソケットを左側のソケット５２Ｌに自動的に切り替える。この場合、モニタ３２に表示されるアイコンの位置も左側に切り替える。これにより、使用するソケットの設定を手動で切り替える手間がなくなり、使い勝手が向上する。
【００７２】
なお、本実施の形態では、メモリカードスロット４８Ｌ、４８Ｒがカメラボディ１２の両側面に位置するようにソケット５２Ｌ、５２Ｒを配置しているが、ソケット５２Ｌ、５２Ｒは同一基板の同一面上に配置する構成であればよく、たとえば、２つのメモリカードスロットがカメラボディ１２の下面に並列して配置されるようにレイアウトして、ソケット５２Ｌ、５２Ｒを配置してもよい。あるいは、一方のメモリカードスロットがカメラボディ１２の側面に配置され、他方のメモリカードスロットがカメラボディ１２の下面に配置されるようにレイアウトして、ソケット５２Ｌ、５２Ｒを配置してもよい。そして、このようにソケット５２Ｌ、５２Ｒを同一基板の同一面上に配置することにより、ユニットを薄型化することができ、この結果、カメラボディ１２の小型化を図ることができる。
【００７３】
次に、本発明に係る撮影装置の第２の実施の形態について説明する。上述した第１の実施の形態のデジタルカメラ１０では、使用中のメモリカードの容量が無くなった場合、使用するソケットの切り替えを手動で行なっていたが、本実施の形態のデジタルカメラでは、使用するソケットの切り替えを自動で行なう。
【００７４】
なお、デジタルカメラの構成自体は上述した第１の実施の形態のデジタルカメラと同じなので、ここでは、メモリカードの容量が無くなった場合におけるソケットの切り替え動作の手順についてのみ説明する。
【００７５】
図９は、ソケットの切り替え動作の手順を示すフローチャートである。同図に示すように、まず、ＣＰＵ１００は、撮影の有無を判定し（ステップＳ１０）、撮影が行なわれると、画像データを設定されたソケットに接続されたメモリカードに記録する（ステップＳ１１）。ここでは、カメラボディ１２の右側のソケット５２Ｒが使用するソケットに設定されているものとする。  
【００７６】
撮影した画像データがメモリカード５０Ｒに記憶されると、記録処理部１１２は、ソケット５２Ｒに接続されているメモリカード５０Ｒの空き容量を算出し、その算出結果をＣＰＵ１００に出力する。ＣＰＵ１００は、取得したメモリカード５０Ｒの空き容量と撮影される画像データのデータサイズとに基づいてメモリカード５０Ｒへの画像データの追記の可否を判定する（ステップＳ１２）。すなわち、メモリカード５０Ｒにまだ画像データを記録できるか否か（メモリフルでないか否か）を判定する。
【００７７】
この判定の結果、メモリカード５０Ｒへの画像データの追記が不能と判定されると、ＣＰＵ１００は、排出装置６０を駆動し、右側のソケット５２Ｒからメモリカード５０Ｒを排出させる（ステップＳ１３）。そして、使用する右側のソケット５２Ｒから左側のソケット５２Ｌに切り替える（ステップＳ１４）。これにより、以後、撮影される画像データは左側のソケット５２Ｌに接続されたメモリカード５０Ｌに記録されるようになる。
【００７８】
このように、本実施の形態のデジタルカメラでは、使用中のメモリカードの容量が無くなると、自動的に使用するソケットが切り替えられるので、連続して画像を撮影することができる。特に動画撮影時には、撮影を中断するこの無く連続して撮影することができるので、不意に訪れた撮影シーンを撮り逃すことなく確実に記録することができる。
【００７９】
また、容量が無くなったメモリカードは自動的に排出されるので、ユーザはソケットの切り替えが行なわれたことを明確に把握することができる。そして、この排出されたメモリカードを新たなものに交換することにより、長時間の連続して撮影することができるようになる。
【００８０】
次に、本発明に係る撮影装置の第３の実施の形態について説明する。本実施の形態のデジタルカメラは、メモリカードに帯電した静電気を逃す機構をメモリカードの排出装置に備えたものである。
【００８１】
なお、この点以外の構成は上述した第１の実施の形態のデジタルカメラと同じなので、ここではメモリカードの排出装置の構成についてのみ説明する。また、上述した第１の実施の形態のデジタルカメラの排出装置と同じ構成部材には図に同じ符号を付して、その説明は省略する。
【００８２】
図１０は、第３の実施の形態のデジタルカメラに備えられたメモリカードの排出装置の概略構成を示す断面図である。
【００８３】
同図に示すように、押圧板６２Ｒを構成する押圧板本体６６Ｒの上面部には、三角形状の接触子８０Ｒが一体的に設けられている。この接触子８０Ｒは、押圧板６２Ｒがモータ６４Ｒに駆動されて回転することにより、ケース７２Ｒに設けられた被接触子８２Ｒに接触する。
【００８４】
被接触子８２Ｒは、銅などの導体で成形されており、グラウンドに接地されている。また、この被接触子８２Ｒに接触子８０Ｒを介して接触する押圧板６２Ｒも全体にメッキが施され導電性が持たされており、押圧板６２Ｒに押出されるメモリカード５０Ｒも、その外周が導体８４Ｒでシールドされて導電性が持たされている。
【００８５】
以上のように構成された排出装置によれば、メモリカードの排出過程でメモリカードに帯電した静電気を逃すことができる。
【００８６】
すなわち、図１１に示すように、モータ６４Ｒを駆動して、押圧板６２Ｒを１回転させると、その回転過程で押圧部７０Ｒがメモリカード５０Ｒに接触するとともに、接触子８０Ｒが被接触子８２Ｒに接触し（図１１（ｃ）参照）、メモリカード５０Ｒに帯電した静電気が、押圧板６２Ｒから被接触子８２Ｒを介して逃される。これにより、静電気によるメモリカード５０Ｒの破壊を有効に防止することができる。
【００８７】
なお、上述した一連の実施の形態では、本発明をデジタルカメラに適用した場合を例に説明したが、本発明の適用は、これに限定されるものではなく、２つのソケットを備えた撮影機器全てに適用することができる。
【図面の簡単な説明】
【００８８】
【図１】デジタルカメラを正面側から見た外観図
【図２】デジタルカメラを背面側から見た外観図
【図３】ソケットの取り付け構造を示す斜視図
【図４】ソケットの概略構成を示す断面図
【図５】排出装置の動作の説明図
【図６】デジタルカメラの内部の概略構成を示すブロック図
【図７】ソケット設定時におけるモニタの表示例を示す図
【図８】ソケット排出時におけるモニタの表示例を示す図
【図９】ソケットの切り替え動作の手順を示すフローチャート
【図１０】第３の実施の形態のデジタルカメラの排出装置の概略構成を示す断面図
【図１１】第３の実施の形態のデジタルカメラの排出装置の動作の説明図
【符号の説明】
【００８９】
１０…デジタルカメラ、１２…カメラボディ、１４…レンズ、１６…ストロボ、１８…ファインダー窓、２０…ＡＦ補光ランプ、２２…セルフタイマーランプ、２４…ストロボ調光センサ、２６…シャッターボタン、２８…電源スイッチ、３０…モードダイヤル、３２…モニタ、３４…ファインダー、３６…ズームボタン、３８…メニュー／ＯＫボタン、４０…ＢＡＣＫボタン、４２…十字ボタン、４４…バッテリーカバー、４６…三脚用ねじ穴、４８Ｌ、４８Ｒ…メモリカードスロット、５０Ｌ、５０Ｒ…メモリカード、５１Ｒ…接点、５２Ｒ、５２Ｌ…ソケット、５４…基板、５６Ｒ…嵌合部、５８Ｒ…端子、６０Ｒ…排出装置、６２Ｒ…押圧板、６４Ｒ、６４Ｌ…モータ、６６Ｒ…押圧板本体、６８Ｒ…回転軸、７０Ｒ…押圧部、７２Ｒ、７２Ｌ…ケース、８０Ｒ…接触子、８２Ｒ…被接触子、８４Ｒ…導体、１００…ＣＰＵ、１０２…操作部、１０４…記憶部、１０６…撮像素子、１０８…撮像処理部、１１０…表示処理部、１１２…記録処理部
【図１】
2005229428.tif 000003
【図２】
2005229428.tif 000004
【図３】
2005229428.tif 000005
【図４】
2005229428.tif 000006
【図５】
2005229428.tif 000007
【図６】
2005229428.tif 000008
【図７】
2005229428.tif 000009
【図８】
2005229428.tif 000010
【図９】
2005229428.tif 000011
【図１０】
2005229428.tif 000012
【図１１】
2005229428.tif 000013